(57)【要約】【課題】短い配線に流れる信号を長い配線に流れる信号の遅延時間に近づけること。【解決手段】端部１１１，１１２を有し、端部１１１から端部１１２迄の間の長さがＬ１である第１配線１１３と、端部１２１，１２２を有し、端部１２１から端部１２２迄の間の長さがＬ２である第２配線１２３と、端部１２１，１２２に設けられる遅延時間調整部１２４Ａ，１２４Ｂとを具備する。【選択図】    図２
2010199512.tif 000002
【特許請求の範囲】
【請求項１】
パッド或いはプラグが設けられている第１端部とパッド或いはプラグが設けられている第２端部とを有し、前記第１端部から前記第２端部迄の間の長さが第１長さである第１配線と、
パッド或いはプラグが設けられている第３端部とパッド或いはプラグが設けられている第４端部とを有し、前記第３端部から前記第４端部迄の間の長さが前記第１長さより短い第２長さである第２配線と、
前記第３端部に接続される第１調整部、および／または前記第４端部に接続される第２調整部を有し、前記第１遅延時間調整部と前記第２遅延時間調整部との合計の長さが第３長さである遅延時間調整部と
を具備することを特徴とするプリント基板。
【請求項２】
前記遅延時間調整部は前記第１調整部のみを有し、
前記第２長さと前記第３長さを合わせた長さは前記第１長さより短く、
前記第４端部から前記第１調整部が設けられている前記第３端部に対して信号が流れることを特徴とする請求項１に記載のプリント基板。
【請求項３】
前記遅延時間調整部は前記第１調整部のみを有し、
前記第２長さと前記第３長さとを合わせた長さは前記第１長さより長く、
前記第１調整部が設けられている前記第３端部から前記第４端部に対して信号が流れることを特徴とする請求項１に記載のプリント基板。
【請求項４】
前記第３端部と前記第４端部との間に相互に信号が流れ、
前記遅延時間調整部は前記第１調整部および前記第２調整部を有することを特徴とする請求項１に記載のプリント基板。
【請求項５】
前記第２調整部は、前記第４端部に接続する第１調整用配線と、前記第１調整用配線に接続する調整用プラグとを有することを特徴とする請求項１に記載のプリント基板。
【請求項６】
前記第２調整部は、前記第１調整用配線と異なる層に設けられ、前記調整用プラグに接続する第２調整用配線を更に具備することを特徴とする請求項５に記載のプリント基板。
【請求項７】
プリント基板を有する電子機器であって、
前記プリント基板は、
パッド或いはプラグが設けられている第１端部とパッド或いはプラグが設けられている第２端部とを有し、前記第１端部から前記第２端部迄の間の長さが第１長さである第１配線と、
パッド或いはプラグが設けられている第３端部とパッド或いはプラグが設けられている第４端部とを有し、前記第３端部から前記第４端部迄の間の長さが前記第１長さより短い第２長さである第２配線と、
前記第３端部に接続される第１調整部、および／または前記第４端部に接続される第２調整部を有し、前記第１遅延時間調整部と前記第２遅延時間調整部との合計の長さが第３長さである遅延時間調整部と
を具備することを特徴とする電子機器。
【請求項８】
前記遅延時間調整部は前記第１調整部のみを有し、
前記第２長さと前記第３長さを合わせた長さは前記第１長さより短く、
前記第４端部から前記第１調整部が設けられている前記第３端部に対して信号が流れることを特徴とする請求項７に記載の電子機器。
【請求項９】
前記遅延時間調整部は前記第１調整部のみを有し、
前記第２長さと前記第３長さとを合わせた長さは前記第１長さより長く、
前記第１調整部が設けられている前記第３端部から前記第４端部に対して信号が流れることを特徴とする請求項７に記載の電子機器。
【請求項１０】
前記第３端部と前記第４端部との間に相互に信号が流れ、
前記遅延時間調整部は前記第１調整部および前記第２調整部を有することを特徴とする請求項７に記載の電子機器。
【発明の詳細な説明】
【技術分野】
【０００１】
本発明は、配線に流れる信号の遅延時間を調整するプリント基板、およびこのプリント基板を有する電子機器に関する。
【背景技術】
【０００２】
配線の入力側から信号を入力しても配線の出力側に信号が出力するまでに配線長に応じた遅延が生じる。信号を入力してから出力側に信号が出力されるまでの時間を遅延時間という。
【０００３】
通常、回路は遅延時間を考慮して設計されている。しかし、遅延時間のばらつきが大きいと動作不良を起こすことがある。遅延時間のばらつきを抑えるために、複数の配線の長さを揃えることがある（特許文献１参照）。
【先行技術文献】
【特許文献】
【０００４】
【特許文献１】特開平６−１２４３２２号公報
【発明の概要】
【発明が解決しようとする課題】
【０００５】
ところが、配線の密度が高い場合、配線長をそろえるために配線を引き回すためのスペースを確保することが難しい。その結果、配線長を揃えることが困難であったり、短い方の配線を蛇腹状にして引き伸ばすことで配線の構造が複雑になったりする場合がある。
【０００６】
本発明の目的は、短い配線に流れる信号を長い配線に流れる信号の遅延時間に近づけることが可能なプリント基板、およびこのプリント基板を有する電子機器を提供することにある。
【課題を解決するための手段】
【０００７】
本発明の一例に係わるプリント基板は、パッド或いはプラグが設けられている第１端部とパッド或いはプラグが設けられている第２端部とを有し、前記第１端部から前記第２端部迄の間の長さが第１長さである第１配線と、パッド或いはプラグが設けられている第３端部とパッド或いはプラグが設けられている第４端部とを有し、前記第３端部から前記第４端部迄の間の長さが前記第１長さより短い第２長さである第２配線と、前記第３端部および前記第４端部の少なくとも一方に設けられる第３長さを有する遅延時間調整部とを具備することを特徴とする。
【０００８】
本発明の一例に係わる、プリント基板を有する電子機器であって、前記プリント基板は、パッド或いはプラグが設けられている第１端部とパッド或いはプラグが設けられている第２端部とを有し、前記第１端部から前記第２端部迄の間の長さが第１長さである第１配線と、パッド或いはプラグが設けられている第３端部とパッド或いはプラグが設けられている第４端部とを有し、前記第３端部から前記第４端部迄の間の長さが前記第１長さより短い第２長さである第２配線と、前記第３端部に接続される第１調整部、および／または前記第４端部に接続される第２調整部を有し、前記第１遅延時間調整部と前記第２遅延時間調整部との合計の長さが第３長さである遅延時間調整部とを具備することを特徴とする。
【発明の効果】
【０００９】
本発明によれば、短い配線に流れる信号を長い配線に流れる信号の遅延時間に近づけることが可能になる。
【図面の簡単な説明】
【００１０】
【図１】本発明の一実施形態に係わる電子機器の外観を示す斜視図。
【図２】本発明の一実施形態に係わるプリント基板の一部を示す図。
【図３】本発明の一実施形態に係わるプリント基板の一部を示す図。
【図４】本発明の一実施形態に係わるプリント基板の一部を示す図。
【図５】本発明の一実施形態に係わるプリント基板の一部を示す図。
【図６】シミュレーションを行った配線に対するドライバ、レシーバ、および遅延時間調整部の位置を示す図。
【図７】遅延時間調整部の長さが１０ｍｍの場合のシミュレーション結果を示す図。
【図８】遅延時間調整部の長さが２０ｍｍの場合のシミュレーション結果を示す図。
【図９】遅延時間調整部の長さが３０ｍｍの場合のシミュレーション結果を示す図。
【発明を実施するための形態】
【００１１】
本発明の実施の形態を以下に図面を参照して説明する。
【００１２】
まず、図１を参照して、本発明の一実施形態に係る電子装置の構成について説明する。この電子装置は、バッテリ駆動可能な携帯型のノートブック型パーソナルコンピュータ１０として実現されている。
【００１３】
図１は、ノートブック型パーソナルコンピュータ１０のディスプレイユニットを開いた状態における斜視図である。本コンピュータ１０は、コンピュータ本体１１と、ディスプレイユニット１２とから構成される。ディスプレイユニット１２には、ＬＣＤ１７（Liquid Crystal Display）およびバックライトから構成される表示パネルが組み込まれており、そのＬＣＤ１７の表示画面はディスプレイユニット１２のほぼ中央に位置されている。ＬＣＤ１７は、透過型液晶パネルから構成されている。
【００１４】
ディスプレイユニット１２は、コンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１５】
入力操作パネル１５は、押されたボタンに対応するイベントを入力する入力装置であり、複数の機能をそれぞれ起動するための複数の機能をそれぞれ起動するための複数のボタンを備えている。
【００１６】
図２は、図１に示す電子装置の内部に設けられた半導体チップが実装されているプリント配線基板の一部の構成を示す平面図である。  
図２に示すように、プリント配線基板１００の表面に第１配線１１３、第２配線１２３、および第３配線１３３が設けられている。第１配線１１３は端部１１１および端部１１２を有する。端部１１１と端部１１２との間の長さはＬ１である。第２配線１２３は端部１２１および端部１２２を有する。端部１２１と端部１２２との間の配線１２３の長さはＬ２である。第３配線１３３は端部１３１および端部１３２を有する。端部１３１と端部１３２との間の配線１３３の長さはＬ３である。端部１１１，１１２，１２１，１２２，１３１，１３２は、パッドまたはプラグ（ビアプラグ、スループラグ等）で定義される。
【００１７】
第１配線１１３の長さＬ１、第２配線１２３の長さＬ２、および第３配線１３３の長さＬ３の関係は、Ｌ１＞Ｌ２＞Ｌ３である。３つの配線１１３，１２３，１３３の長さはそれぞれ異なる。配線に流れる信号の遅延時間は、配線長が長いほど長くなる。従って、第１配線１１３の遅延時間が最も長く、第３配線１３３の遅延時間が最も短い。
【００１８】
なお、配線長が最も長い配線（本実施形態の場合、第１配線１１３）の一対の端部が第１端部および第２端部として定義される。そして、配線長が短い配線（本実施形態の場合、第２配線１２３および第３配線１３３）の一対の端部が第３端部および第４端部として定義される。
【００１９】
遅延時間を調整するために、第２配線１２３の端部に遅延時間調整部としてのスタブ１２４Ａ，１２４Ｂが接続されている。同様に、第３配線１３３の端部に遅延時間調整部としてのスタブ１３４Ａ，１３４Ｂが接続されている。スタブをつけると遅延効果がある。スタブ１２４Ａ，１２４Ｂが、第２配線１２３に対する遅延時間調整部である。同様に、スタブ１３４Ａ，１３４Ｂが、第３配線１３３に対する遅延時間調整部である。なお、遅延時間を調整するために一つの端部に接続される部材を調整部とし、配線に対して設けられた調整部の全体を遅延時間調整部とする。また、遅延時間調整部の長さ(第３長さ)は、一対の端部に対してそれぞれ接続されている調整部の長さの和で定義される。
【００２０】
図２では、第２配線１２３が接続する端部１２１に第１調整部としてのスタブ１２４Ａが電気的に接続されている。また、第２配線１２３が接続する端部１２２に第２調整部としてのスタブ１２４Ｂが電気的に接続されている。同様に、第３配線１３３が接続する端部１３１に第１調整部としてのスタブ１３４Ａが電気的に接続されている。第３配線１３３が接続する端部１３２に第２調整部としてのスタブ１３４Ｂが電気的に接続されている。配線１２３の場合、遅延時間調整部の長さ（第３長さ）は、端部に接続されるスタブ１２４Ａ、１２４Ｂの長さの和で定義される。配線１３３の場合、遅延時間調整部の長さ（第３長さ）は、端部に接続されるスタブ１３４Ａ、１３４Ｂの長さの和で定義される。
【００２１】
なお、配線に接続するそれぞれの端部にスタブを接続する必要はない。配線に接続する一対の端部の一方にスタブを接続しても良い。図３において、第２配線１３２の端部１２１にはスタブが接続されず、端部１２２に第２調整部としてのスタブ１２５が接続されている。また、配線１３３の端部１３１にはスタブが接続されず、端部１３２に第２調整部としてのスタブ１３５が接続されている。なお、端部１２１にスタブが接続され、端部１２２にスタブが接続されていない構成であっても良いも良い。また同様に、端部１３１にスタブが接続され、端部１３２にスタブが接続されていない構成であっても良い。
【００２２】
また、調整部の一部がプラグであっても良い。図４に示すように、第２端部としての端部１２２に対して、スタブ１２６Ａおよびスループラグ１２６Ｂから構成される第２調整部が接続されている。第１調整用配線としてのスタブ１２６Ａが端部１２２に接続されている。調整用プラグとしてのプラグ１２６Ｂがスタブ１２６Ａに接続されている。第２端部としての端部１３２に対して、スタブ１３６Ａおよびスループラグ１３６Ｂから構成される第２調整部が接続されている。第１調整用配線としてのスタブ１３６Ａが端部１３２に接続されている。調整用プラグとしてのスループラグ１３６Ｂがスタブ１３６Ａに接続されている。端部１２２に接続される調整部の長さは、スタブ１２６Ａの長さとスループラグ１３６Ｂの長さとの和で定義される。また同様に、端部１３２に接続される調整部の長さは、スタブ１３６Ａの長さとスループラグ１３６Ｂの長さとの和で定義される。
【００２３】
なお、端部１２２にスタブ１２６Ａおよびスループラグ１２６Ｂから構成される調整部を接続するのではなく、第２端部としての端部１２１に調整部を接続しても良い。また、端部１２１，１２２にそれぞれスタブおよびスループラグから構成される調整部を接続しても良い。同様に、端部１３２にスタブ１３６Ａおよびスループラグ１３６Ｂから構成される調整部を接続するのではなく、第２端部としての端部１３１に調整部を接続しても良い。端部１３１，１３２にそれぞれスタブおよびスループラグから構成される調整部を接続しても良い。また、スループラグの代わりにビアプラグを用いても良い。なお、配線１３３の場合、調整部の長さは、端部に接続されるスタブ１３７Ａの長さとプラグ１３７Ｂの長さとビアプラグ１３７Ｃの長さとの和で定義される。
【００２４】
また、調整部の一部を他の層に設けても良い。例えば、図５に示すように、第２端部としての端部１３２にスタブ１３７Ａ、ビアプラグ１３７Ｂ、およびスタブ１３７Ｃから構成される第２調整部が接続されている。第２端部としての端部１３２に第１調整用配線としてのスタブ１３７Ａが接続されている。スタブ１３７Ａに調整用プラグとしてのビアプラグ１３７Ｂが接続されている。ビアプラグ１３７Ｂに第２調整用配線としてのスタブ１３７Ｃが接続されている。
【００２５】
なお、端部１３２にスタブ１３７Ａ、ビアプラグ１３７Ｂ、およびスタブ１３７Ｃから構成される調整部を接続するのではなく、第２端部としての端部１３１に調整部を接続しても良い。端部１３１，１３２にそれぞれスタブ、ビアプラグ、およびスタブから構成される調整部を接続しても良い。
【００２６】
次に、遅延時間調整部の長さ、および信号が流れる方向が遅延時間に対して及ぼす影響について説明する。
【００２７】
遅延時間に及ぼす影響を調べるために、配線の入力側（ドライバ）から信号を入力してから配線の出力側（レシーバ）に出力される信号をシミュレーションによって求めた。なお、基準となる配線の長さを２００ｍｍ、遅延時間調整部を設けていない配線の長さを１８０ｍｍに設定してシミュレーションを行った。シミュレーションにはＨＳＰＩＣＥ（登録商標）を用いた。
【００２８】
遅延時間調整部の長さが遅延時間に及ぼす影響を確認するために、遅延時間調整部の長さが１０ｍｍ、２０ｍｍ、および３０ｍｍの場合についてシミュレーションを行った。
【００２９】
また、信号が流れる方向が遅延時間に及ぼす影響を調べるために、基準となる長さの配線、遅延時間調整部を設けていない配線、レシーバ側に遅延時間調整部を設けた配線、ドライバ側に遅延時間調整部を設けた配線、並びにレシーバ側およびドライバ側の両方に遅延時間調整部を設けた場合のレシーバ側に出力される信号をシミュレーションによって求めた。
【００３０】
基準となる長さの配線、および遅延時間調整部を設けていない配線の場合、図６（Ａ）に示すように、配線１４１の端部に信号を出力するドライバ１４２およびドライバ１４２が出力した信号を受信するレシーバ１４３が設けられているものとしてシミュレーションを行った。
【００３１】
レシーバ側に遅延時間調整部を設けた配線の場合、図６（Ｂ）に示すように、配線１５１の端部にドライバ１４２およびレシーバ１４３が設けられ、配線１５１のレシーバ１４３側の端部に遅延時間調整部としてスタブ１５４が設けられているものとしてシミュレーションを行った。
【００３２】
ドライバ側に遅延時間調整部を設けた配線の場合、図６（Ｃ）に示すように、配線１５１の端部にドライバ１４２およびレシーバ１４３が設けられ、配線１５１のドライバ１４２側の端部に遅延時間調整部としてスタブ１６４が設けられているものとしてシミュレーションを行った。
【００３３】
レシーバ側およびドライバ側の両方に遅延時間調整部を設けた配線の場合、図６（Ｄ）に示すように、配線１５１の端部にドライバ１４２およびレシーバ１４３が設けられ、配線１５１のドライバ１４２側の端部に遅延時間調整部としてスタブ１７４Ａが設けられ、配線１５１のレシーバ１４３側の端部に遅延時間調整部としてスタブ１７４Ｂが設けられているものとしてシミュレーションを行った。
【００３４】
シミュレーション結果を図７〜図９に示す。図７〜図９において、横軸はレシーバが配線に信号を入力してからの時間、縦軸はドライバ側に出力される信号の電圧を示す。  
遅延時間調整部の長さが１０ｍｍの場合のシミュレーション結果を図７に示す。遅延時間調整部の長さが１０ｍｍの場合、配線と遅延時間調整部とを合わせた長さが基準となる配線の長さ（２００ｍｍ）より１０ｍｍ短い。実線のＬ２００が示す波形は基準となる配線のシミュレーション結果、破線のＬ１８０が示す波形は遅延時間調整部を設けていない配線のシミュレーション結果、一点破線のＬ１８０＿Ｓ１０Ｒが示す波形はレシーバ側にスタブ１５４を設けた配線のシミュレーション結果、二点破線のＬ１８０＿Ｓ１０Ｄが示す波形はドライバ側にスタブ１６４を設けた配線のシミュレーション結果、実線部がＬ１８０より長い破線のＬ１８０＿Ｓ１０ＲＤが示す波形はレシーバおよびドライバ側に長さ５ｍｍのスタブ１７４Ａ、１７４Ｂを設けた配線のシミュレーション結果である。
【００３５】
図７に示すように、波形Ｌ１８０＿Ｓ１０Ｒ、Ｌ１８０＿Ｓ１０Ｄ、Ｌ１８０＿Ｓ１０ＲＤは、波形Ｌ１８０より波形Ｌ２００に近くなっていることが分かる。またレシーバ側に遅延時間調整部を設けた波形Ｌ１８０＿Ｓ１０Ｒが波形Ｌ２００に近い。次に、レシーバおよびドライバ側に遅延時間調整部を設けた波形Ｌ１８０＿Ｓ１０ＲＤが波形Ｌ２００に近い。また、ドライバ側に遅延時間調整部を設けた波形Ｌ１８０＿Ｓ１０Ｄが波形Ｌ２００から最も離れた波形である。従って、配線に流れる信号の向きが片方向の場合、レシーバ側に遅延時間調整部を設けることが好ましい。また、配線に流れる信号の向きが双方向の場合、レシーバおよびドライバ側に遅延時間調整部を設けることが好ましい。
【００３６】
遅延時間調整部の長さが２０ｍｍの場合のシミュレーション結果を図８に示す。遅延時間調整部の長さが２０ｍｍの場合、配線と遅延時間調整部とを合わせた長さが基準となる配線の長さ（２００ｍｍ）に等しい。実線のＬ２００が示す波形は基準となる配線のシミュレーション結果、破線のＬ１８０が示す波形は遅延時間調整部を設けていない配線のシミュレーション結果、一点破線のＬ１８０＿Ｓ２０Ｒが示す波形はレシーバ側にスタブ１５４を設けた配線のシミュレーション結果、二点破線のＬ１８０＿Ｓ２０Ｄが示す波形はドライバ側にスタブ１６４を設けた配線のシミュレーション結果、実線部がＬ１８０より長い破線のＬ１８０＿Ｓ２０ＲＤが示す波形はレシーバおよびドライバ側に長さ１０ｍｍのスタブ１７４Ａ、１７４Ｂを設けた配線のシミュレーション結果である。
【００３７】
図８に示すように、波形Ｌ１８０＿Ｓ２０Ｒ、Ｌ１８０＿Ｓ２０Ｄ、Ｌ１８０＿Ｓ２０ＲＤは、波形Ｌ１８０より波形Ｌ２００に近くなっていることが分かる。また、３Ｖ付近までにおいて、レシーバ側に遅延時間調整部を設けた波形Ｌ１８０＿Ｓ２０Ｒが波形Ｌ２００に近い。３Ｖ付近以降では、レシーバおよびドライバ側に遅延時間調整部を設けた波形Ｌ１８０＿Ｓ２０ＲＤが波形Ｌ２００に近い。また、ドライバ側に遅延時間調整部を設けた波形Ｌ１８０＿Ｓ２０Ｄが波形Ｌ２００から最も離れた波形である。従って、配線に流れる信号の向きが片方向の場合、レシーバ側に遅延時間調整部を設けることが好ましい。また、配線に流れる信号の向きが双方向の場合、レシーバおよびドライバ側に遅延時間調整部を設けることが好ましい。
【００３８】
遅延時間調整部の長さが３０ｍｍの場合のシミュレーション結果を図９に示す。遅延時間調整部の長さが３０ｍｍの場合、配線と遅延時間調整部とを合わせた長さが基準となる配線の長さ（２００ｍｍ）より１０ｍｍ長い。実線のＬ２００が示す波形は基準となる配線のシミュレーション結果、破線のＬ１８０が示す波形は遅延時間調整部を設けていない配線のシミュレーション結果、一点破線のＬ１８０＿Ｓ３０Ｒが示す波形はレシーバ側にスタブ１５４を設けた配線のシミュレーション結果、二点破線のＬ１８０＿Ｓ３０Ｄが示す波形はドライバ側にスタブ１６４を設けた配線のシミュレーション結果、実線部がＬ１８０より長い破線のＬ１８０＿Ｓ３０ＲＤが示す波形はレシーバおよびドライバ側に長さ１５ｍｍのスタブ１７４Ａ、１７４Ｂを設けた配線のシミュレーション結果である。
【００３９】
図７に示す結果より、配線に流れる信号の向きが片方向、且つ遅延時間調整部の長さと遅延時間調整部を端部に接続した配線の長さとを合わせた長さが基準となる配線の長さより短いの場合、レシーバ側に遅延時間調整部を設けることが好ましい。
【００４０】
図９に示すように、波形Ｌ１８０＿Ｓ３０Ｒ、Ｌ１８０＿Ｓ３０Ｄ、Ｌ１８０＿Ｓ３０ＲＤは、波形Ｌ１８０より波形Ｌ２００に近くなっていることが分かる。また、波形Ｌ１８０＿Ｓ３０Ｒ、Ｌ１８０＿Ｓ３０Ｄ、Ｌ１８０＿Ｓ３０ＲＤの中でドライバ側に遅延時間調整部を設けた波形Ｌ１８０＿Ｓ３０Ｄが波形Ｌ２００に最も近い。その次に、レシーバおよびドライバ側に遅延時間調整部を設けた波形Ｌ１８０＿Ｓ３０ＲＤが波形Ｌ２００に近い。そして、レシーバ側に遅延時間調整部を設けた波形Ｌ１８０＿Ｓ３０Ｒが波形Ｌ２００から最も離れている。従って、配線に流れる信号の向きが片方向の場合、ドライバ側に遅延時間調整部を設けることが好ましい。また、配線に流れる信号の向きが双方向の場合、配線の両端に遅延時間調整部を設けることが好ましい。
【００４１】
図９に示す結果より、配線に流れる信号の向きが片方向、且つ遅延時間調整部の長さと遅延時間調整部を端部に接続した配線の長さとを合わせた長さが基準となる配線の長さより長い場合、ドライバ側に遅延時間調整部を設けることが好ましい。
【００４２】
図７〜図９に示すように、配線の端部に遅延時間調整部を設けることで、遅延時間調整部の長さにかかわらずに、信号の立ち上がりを遅らせる効果がある。その結果、第１配線１１３より短い第２配線１１２および第３配線１１３に流れる信号の遅延時間を第１配線１１１に流れる信号の遅延時間に近づけることが可能になる。
【００４３】
なお、通常、スタブの配線長とほぼ同じ分だけ配線の遅延時間が遅れる効果があるが、遅延時間調整部としてプラグや異なる層にスタブを設けた場合、配線の実効比誘電率が異なると必要な遅延時間調整部の長さは変わってくる。
【００４４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００４５】
１０…ノートブック型パーソナルコンピュータ、１００…プリント配線基板、１１３…第１配線、１２３…第２配線、１３３…第３配線、１１１，１１２，１２１，１２２，１３１，１３２…端部、１２４Ａ，１２４Ｂ，１２５，１２６Ａ，１３７Ａ，１３７Ｃ，１３４Ａ，１３４Ｂ，１３５，１３６Ａ…スタブ、１２６Ｂ，１３６Ｂ…スループラグ、１３７Ｂ…ビアプラグ。
【図１】
2010199512.tif 000003
【図２】
2010199512.tif 000004
【図３】
2010199512.tif 000005
【図４】
2010199512.tif 000006
【図５】
2010199512.tif 000007
【図６】
2010199512.tif 000008
【図７】
2010199512.tif 000009
【図８】
2010199512.tif 000010
【図９】
2010199512.tif 000011